【手続補正書】
【提出日】平成18年1月4日(2006.1.4)
【手続補正１】
【補正対象書類名】明細書
【補正対象項目名】発明の名称
【補正方法】変更
【補正の内容】
【発明の名称】印刷システム、印刷サーバ、画像処理システムおよびプログラム
【手続補正２】
【補正対象書類名】明細書
【補正対象項目名】特許請求の範囲
【補正方法】変更
【補正の内容】
【特許請求の範囲】
【請求項１】
文書を提供する文書提供手段と、文書を印刷する印刷端末と、印刷文書を指示する通信端末と、前記印刷文書を前記印刷端末で印刷可能な印刷可能データに変換する印刷サーバと、前記通信端末で前記印刷文書が指示された場合に前記印刷サーバに前記印刷文書の変換を指示する印刷管理装置とがネットワーク上で接続され、前記印刷サーバは、前記印刷文書を特定する文書特定情報を前記印刷管理装置から取得するとともに、前記文書特定情報で特定された前記印刷文書を前記印刷可能データに変換するようにしたことを特徴とする印刷システム。
【請求項２】
前記印刷管理装置が前記通信端末から前記印刷文書の印刷の予約要求を受け付けて前記印刷管理装置が前記印刷サーバに前記印刷文書の変換を指示した場合に、前記印刷サーバが、前記印刷文書を前記印刷可能データに変換し、前記印刷端末が、前記印刷可能データを取得して印刷するようにしたことを特徴とする請求項１に記載の印刷システム。
【請求項３】
前記文書特定情報は、前記印刷文書の文書名、前記印刷文書の文書登録番号、および、前記印刷文書の格納位置のいずれかを含むことを特徴とする請求項１または請求項２に記載の印刷システム。
【請求項４】
前記印刷サーバは、前記印刷文書の印刷条件情報を前記印刷管理装置から取得して、前記印刷条件情報に対応した前記印刷可能データに変換するようにしたことを特徴とする請求項１ないし請求項３のいずれかに記載の印刷システム。
【請求項５】
前記印刷条件情報は、カラー／白黒印刷、両面印刷、集約印刷、用紙サイズ、変倍、画質、用紙トレイ、出力トレイ、ホッチキス綴じ、用紙種類、ソート、パンチ、合成、印刷方向、用紙方向、および、印刷部数のいずれかを含むことを特徴とする請求項４に記載の印刷システム。
【請求項６】
前記印刷サーバは、前記印刷文書に対応したアプリケーションを判定し、前記アプリケーションを用いて前記印刷文書を前記印刷可能データに変換するようにしたことを特徴とする請求項３ないし請求項５のいずれかに記載の印刷システム。
【請求項７】
前記アプリケーションの判定を、前記印刷文書のファイル拡張子、前記印刷文書のファイル構造、その他の前記印刷文書の属性情報に基づいて行うことを特徴とする請求項６に記載の印刷システム。
【請求項８】
前記印刷サーバは、前記文書サーバへの前記印刷文書のアクセス権利情報を前記印刷管理装置から取得するようにしたことを特徴とする請求項１ないし請求項７のいずれかに記載の印刷システム。
【請求項９】
前記印刷サーバは、印刷先を選択するための印刷先選択情報を記憶する手段を有し、前記印刷管理装置から前記印刷先選択情報の取得要求があった場合に、前記印刷先選択情報を前記印刷管理装置に提供するようにしたことを特徴とする請求項１ないし請求項８のいずれかに記載の印刷システム。
【請求項１０】
前記印刷サーバは、前記ネットワークに接続された他の装置に問い合わせて、印刷先を選択するための印刷先選択情報を取得し、前記印刷管理装置から前記印刷先選択情報の取得要求があった場合に、前記印刷先選択情報を前記印刷管理装置に提供するようにしたことを特徴とする請求項１ないし請求項８のいずれかに記載の印刷システム。
【請求項１１】
前記印刷サーバは、前記ネットワークに接続された前記印刷端末を検索して、印刷先を選択するための前記印刷先選択情報を生成し、印刷先を選択するための印刷先選択情報を取得し、前記印刷管理装置から前記印刷先選択情報の取得要求があった場合に、前記印刷先選択情報を前記印刷管理装置に提供するようにしたことを特徴とする請求項１ないし請求項８のいずれかに記載の印刷システム。
【請求項１２】
前記印刷サーバは、前記印刷文書の印刷先を特定する印刷先特定情報を記憶する手段を有し、前記印刷管理装置から前記印刷先特定情報の取得要求があった場合に、前記印刷先特定情報を前記印刷管理装置に提供するようにしたことを特徴とする請求項１ないし請求項８のいずれかに記載の印刷システム。
【請求項１３】
前記印刷先特定情報は、印刷先の地点の識別情報、印刷装置の識別情報、印刷先のＩＰアドレス、印刷先のＭＡＣアドレス、印刷先のネットワークパス、および、印刷先のプリントサーバ名のいずれかを含むことを特徴とする請求項１２に記載の印刷システム。
【請求項１４】
前記印刷サーバは、印刷先の印刷機能情報を記憶する手段を有し、前記印刷管理装置から前記印刷機能情報の取得要求があった場合に、前記印刷機能情報を前記印刷管理装置に提供するようにしたことを特徴とする請求項１ないし請求項１３のいずれかに記載の印刷システム。
【請求項１５】
前記印刷サーバは、前記ネットワークに接続された他の装置に問い合わせて、印刷先の印刷機能情報を取得し、前記印刷管理装置から前記印刷機能情報の取得要求があった場合に、前記印刷機能情報を前記印刷管理装置に提供するようにしたことを特徴とする請求項１ないし請求項８のいずれかに記載の印刷システム。
【請求項１６】
前記印刷サーバは、前記ネットワークに接続された前記印刷端末を検索して、前記印刷端末から印刷機能情報を取得し、前記印刷管理装置から前記印刷機能情報の取得要求があった場合に、前記印刷機能情報を前記印刷管理装置に提供するようにしたことを特徴とする請求項１ないし請求項８のいずれかに記載の印刷システム。
【請求項１７】
前記印刷機能情報は、カラー／白黒印刷、両面印刷、集約印刷、用紙サイズ、変倍、画質、用紙トレイ、出力トレイ、ホッチキス綴じ、用紙種類、ソート、パンチ、合成、印刷方向、および、用紙方向のいずれかを含むことを特徴とする請求項１４ないし請求項１６のいずれかに記載の印刷システム。
【請求項１８】
前記印刷サーバは、前記印刷機能情報を、プリンタドライバから引き出すようにしたことを特徴とする請求項１４ないし請求項１７のいずれかに記載の印刷システム。
【請求項１９】
文書を提供する文書提供手段と、文書を印刷する印刷端末と、印刷文書を指示する通信端末と、前記印刷文書を前記印刷端末で印刷可能な印刷可能データに変換する印刷サーバと、前記通信端末で前記印刷文書が指示された場合に前記印刷サーバに前記印刷文書の変換を指示する印刷管理装置とを備えた印刷システムの前記印刷サーバであって、前記印刷文書を特定する文書特定情報を前記印刷管理装置から取得する手段と、前記文書特定情報で特定された前記印刷文書を前記文書提供手段から取得する手段と、前記印刷文書を前記印刷可能データに変換する手段とを有することを特徴とする印刷サーバ。
【請求項２０】
前記印刷管理装置が前記通信端末から前記印刷文書の印刷の予約要求を受け付けて前記印刷管理装置が前記印刷サーバに前記印刷文書の変換を指示した場合に、前記印刷文書を前記印刷可能データに変換するようにしたことを特徴とする請求項１９に記載の印刷サーバ。
【請求項２１】
前記文書特定情報は、前記印刷文書の文書名、前記印刷文書の文書登録番号、前記印刷文書の格納位置のいずれかを含むことを特徴とする請求項１９または請求項２０に記載の印刷サーバ。
【請求項２２】
前記印刷文書の印刷条件情報を前記印刷管理装置から取得して、前記印刷条件情報に対応した前記印刷可能データに変換するようにしたことを特徴とする請求項１９または請求項２１のいずれかに記載の印刷サーバ。
【請求項２３】
前記印刷条件情報は、カラー／白黒印刷、両面印刷、集約印刷、用紙サイズ、変倍、画質、用紙トレイ、出力トレイ、ホッチキス綴じ、用紙種類、ソート、パンチ、合成、印刷方向、用紙方向、および、印刷部数のいずれかを含むことを特徴とする請求項２２に記載の印刷サーバ。
【請求項２４】
前記印刷文書に対応したアプリケーションを判定し、前記アプリケーションを用いて前記印刷文書を前記印刷可能データに変換するようにしたことを特徴とする請求項２１ないし請求項２４のいずれかに記載の印刷サーバ。
【請求項２５】
前記アプリケーションの判定を、前記印刷文書のファイル拡張子、前記印刷文書のファイル構造、その他の前記印刷文書の属性情報に基づいて行うようにしたことを特徴とする請求項２４に記載の印刷サーバ。
【請求項２６】
前記文書サーバへの前記印刷文書のアクセス権利情報を前記印刷管理装置から取得するようにしたことを特徴とする請求項１９ないし請求項２５のいずれかに記載の印刷サーバ。
【請求項２７】
前記文書の印刷先を選択するための印刷先選択情報を記憶する手段を有し、前記印刷管理装置から前記印刷先選択情報の取得要求があった場合に、前記印刷先選択情報を前記印刷管理装置に提供するようにしたことを特徴とする請求項１９ないし請求項２６のいずれかに記載の印刷サーバ。
【請求項２８】
前記ネットワークに接続された他の装置に問い合わせて、印刷先を選択するための印刷先選択情報を取得し、前記印刷管理装置から前記印刷先選択情報の取得要求があった場合に、前記印刷先選択情報を前記印刷管理装置に提供するようにしたことを特徴とする請求項１９ないし請求項２６のいずれかに記載の印刷サーバ。
【請求項２９】
前記ネットワークに接続された前記印刷端末を検索して、印刷先を選択するための前記印刷先選択情報を生成し、印刷先を選択するための印刷先選択情報を取得し、前記印刷管理装置から前記印刷先選択情報の取得要求があった場合に、前記印刷先選択情報を前記印刷管理装置に提供するようにしたことを特徴とする請求項１９ないし請求項２６のいずれかに記載の印刷サーバ。
【請求項３０】
前記印刷文書の印刷先を特定する印刷先特定情報を記憶する手段を有し、前記印刷管理装置から前記印刷先特定情報の取得要求があった場合に、前記印刷先特定情報を前記印刷管理装置に提供するようにしたことを特徴とする請求項１９ないし請求項２６のいずれかに記載の印刷サーバ。
【請求項３１】
前記印刷先特定情報は、印刷先の地点の識別情報、印刷装置の識別情報、印刷先のＩＰアドレス、印刷先のＭＡＣアドレス、印刷先のネットワークパス、および、印刷先のプリントサーバ名のいずれかを含むことを特徴とする請求項３０に記載の印刷サーバ。
【請求項３２】
前記文書の印刷先の印刷機能情報を記憶する手段を有し、前記印刷管理装置から前記印刷機能情報の取得要求があった場合に、前記印刷機能情報を前記印刷管理装置に提供するようにしたことを特徴とする請求項１９ないし請求項３１のいずれかに記載の印刷サーバ。
【請求項３３】
前記ネットワークに接続された他の装置に問い合わせて、印刷先の印刷機能情報を取得する手段と、前記印刷管理装置から前記印刷機能情報の取得要求があった場合に、前記印刷機能情報を前記印刷管理装置に提供する手段とを有することを特徴とする請求項１９ないし請求項３１のいずれかに記載の印刷サーバ。
【請求項３４】
前記ネットワークに接続された前記印刷端末を検索して、前記印刷端末から印刷機能情報を取得する手段と、前記印刷管理装置から前記印刷機能情報の取得要求があった場合に、前記印刷機能情報を前記印刷管理装置に提供する手段とを有することを特徴とする請求項１９ないし請求項３１のいずれかに記載の印刷サーバ。
【請求項３５】
前記印刷条件情報は、カラー／白黒印刷、両面印刷、集約印刷、用紙サイズ、変倍、画質、用紙トレイ、出力トレイ、ホッチキス綴じ、用紙種類、ソート、パンチ、合成、印刷方向、および、用紙方向のいずれかを含むことを特徴とする請求項３２ないし請求項３４のいずれかに記載の印刷サーバ。
【請求項３６】
前記印刷機能情報を、プリンタドライバから引き出すようにしたことを特徴とする請求項３２ないし請求項３５のいずれかに記載の印刷サーバ。
【請求項３７】
請求項１９ないし請求項３６のいずれかに記載の前記印刷サーバとしてコンピュータ装置を機能させるプログラム。
【請求項３８】
情報を提供する情報提供手段と、情報を印刷する印刷端末と、印刷情報を指示する通信端末と、前記印刷情報を前記印刷端末で印刷可能な印刷可能データに変換する印刷サーバと、前記通信端末で前記印刷情報が指示された場合に前記印刷サーバに前記印刷情報の変換を指示する印刷管理装置とがネットワーク上で接続され、前記印刷サーバは、前記印刷情報を特定する印刷情報特定情報を前記印刷管理装置から取得するとともに、前記印刷情報特定情報で特定された前記印刷情報を前記印刷可能データに変換するようにしたことを特徴とする画像処理システム。
【手続補正３】
【補正対象書類名】明細書
【補正対象項目名】００１０
【補正方法】変更
【補正の内容】
【００１０】
本発明はこのような問題を解決するためになされたもので、利用者が所望の印刷物を確実に取得することができる印刷システム、印刷サーバ、画像処理システムおよびプログラムを提供するものである。
【手続補正４】
【補正対象書類名】明細書
【補正対象項目名】００８３
【補正方法】変更
【補正の内容】
【００８３】
本発明のプログラムは、前記印刷サーバとしてコンピュータ装置を機能させる構成となっている。
本発明の画像処理システムは、情報を提供する情報提供手段と、情報を印刷する印刷端末と、印刷情報を指示する通信端末と、前記印刷情報を前記印刷端末で印刷可能な印刷可能データに変換する印刷サーバと、前記通信端末で前記印刷情報が指示された場合に前記印刷サーバに前記印刷情報の変換を指示する印刷管理装置とがネットワーク上で接続され、前記印刷サーバは、前記印刷情報を特定する印刷情報特定情報を前記印刷管理装置から取得するとともに、前記印刷情報特定情報で特定された前記印刷情報を前記印刷可能データに変換するようにした構成となっている。
【手続補正５】
【補正対象書類名】明細書
【補正対象項目名】０１６２
【補正方法】変更
【補正の内容】
【０１６２】
【発明の効果】
本発明によれば、利用者が所望の印刷物を印刷先で確実に取得することができるという優れた効果を有する印刷システム、印刷サーバ、画像処理システムおよびプログラムを提供することができる。